(57)【要約】    【課題】  【００７６】  簡単な構成で弾性材料の蓋部材の押し込み変形を防止できるようにする。    【解決手段】  【００７７】  第１の開口部３０ａおよび該第１の開口部に連通する第２の開口部３１が形成された機器本体２５と、機器本体に第１の開口部を開閉するよう取り付けられた第１の蓋部材５０と、機器本体に第２の開口部を開閉するよう取り付けられた、弾性材料により形成された第２の蓋部材４０とを有する。第１の蓋部材は、閉じた状態で、閉じた状態の第２の蓋部材を受ける受け部５３を有する。    【選択図】  図６
2005064365.tif 000002
【特許請求の範囲】
【請求項１】
第１の開口部および該第１の開口部に連通する第２の開口部が形成された機器本体と、
前記機器本体に前記第１の開口部を開閉するよう取り付けられた第１の蓋部材と、
前記機器本体に前記第２の開口部を開閉するよう取り付けられた、弾性材料により形成された第２の蓋部材とを有し、
前記第１の蓋部材は、閉じた状態で、閉じた状態の前記第２の蓋部材を受ける受け部を有することを特徴とする電子機器。
【請求項２】
前記第１の開口部と前記第２の開口部とが前記機器本体における互いに異なる面に形成されており、
前記受け部は、前記第１の蓋部材の閉じ方向とは異なる前記第２の蓋部材の閉じ方向において、該第２の蓋部材を受けることを特徴とする請求項１に記載の電子機器。
【請求項３】
閉じた状態の前記第２の蓋部材のうち、前記第２の開口部における前記第１の開口部との連通部分に沿う部分は前記受け部により受けられ、他の部分は前記機器本体により受けられることを特徴とする請求項１又は２に記載の電子機器。
【請求項４】
前記第１の開口部は、前記機器本体内に挿入される挿入部材の挿入口であり、前記第２の開口部は、前記挿入部材から前記機器本体外に延出する延出部材の延出口であることを特徴とする請求項１から３のいずれかに記載の電子機器。
【請求項５】
前記第１の開口部は電池室の挿入口であり、前記第２の開口部は、前記電池室に挿入された、外部電源供給のためのカプラーから延びる電源ケーブルの延出口であることを特徴とする請求項４に記載の電子機器。
【請求項６】
前記第１の開口部は、着脱式記録媒体の収容室の挿入口であり、前記第２の開口部は、前記収容室に挿入された通信機器から延びるアンテナであることを特徴とする請求項４に記載の電子機器。
【請求項７】
前記第２の開口部は、前記機器本体における使用者が持つグリップ部に形成されていることを特徴とする請求項１から６のいずれかに記載の電子機器。
【発明の詳細な説明】
【技術分野】
【０００１】
本発明は、蓋部材を有する電子機器に関するものである。
【背景技術】
【０００２】
電池を電源として動作する電子機器には電池室が設けられ、該電池室には、電池の脱落やゴミ等の侵入を防止するため、開閉可能な蓋部材が設けられる（特許文献１参照）。
【０００３】
また、通常は電池が挿入される電池室に、電池の代えて外部電源供給用のカプラーを挿入し、外部電源により該電子機器を動作させる場合がある。この場合、機器本体には、電池室への電池又はカプラーの挿入口と、電池室に挿入されたカプラーから延びる電源ケーブルを電子機器外に延出させるための延出口とが形成される。挿入口と延出口は互いにその一部が連通しており、挿入口の蓋部材を閉じた状態でも電源ケーブルを上記延出口から機器外に延ばすことができる。
【０００４】
そして、この小さなケーブル延出口にも、ここから電池室内にゴミ等が入り込むのを防止するための蓋部材を設ける必要がある。但し、開閉機構を設けることによる構造の複雑化を避けるため、この蓋部材を弾性材料で形成し、弾性変形によって開き状態としたり閉じ状態としたりすることが考えられる。
【特許文献１】特開平１１−４４９０８号公報（段落００２０〜００２１、図２等）
【発明の開示】
【発明が解決しようとする課題】
【０００５】
しかしながら、電池挿入口とケーブル挿入口のように２つの開口部が連通している場合において、それぞれの開口部に別々の蓋部材を設ける場合、特に小さい開口部の蓋部材をゴム等の弾性材料で形成する場合に、この蓋部材が、使用者の指で押される等、外力によって開口部内に押し込まれてしまうことを防止する必要がある。
【０００６】
本発明は、互いに連通する２つの開口部に対して別々の蓋部材を設け、かつ一方の蓋部材を弾性材料により形成した場合に、簡単な構成で該弾性材料の蓋部材の押し込み変形を防止できるようにした電子機器を提供することを目的としている。
【課題を解決するための手段】
【０００７】
上記の目的を達成するために、本発明では、第１の開口部および該第１の開口部に連通する第２の開口部が形成された機器本体と、機器本体に第１の開口部を開閉するよう取り付けられた第１の蓋部材と、機器本体に第２の開口部を開閉するよう取り付けられた、弾性材料により形成された第２の蓋部材とを有する。そして、第１の蓋部材は、閉じた状態で、閉じた状態の第２の蓋部材を受ける受け部を有する。
【発明の効果】
【０００８】
本発明によれば、互いに連通する第１および第２の開口部に対して別々の蓋部材を設け、かつ第２の開口部用の第２の蓋部材を弾性材料により形成した場合でも、簡単な構成で、該第２の蓋部材の開口部内への押し込みを抑制することができる。
【０００９】
特に本発明は、第１の開口部と第２の開口部とが機器本体における互いに異なる面に形成されている場合（すなわち、第１の蓋部材の閉じ方向と第２の蓋部材の閉じ方向とが異なる場合）に有用である。
【００１０】
また、閉じた状態の第２の蓋部材のうち、第２の開口部における第１の開口部との連通部分に沿う部分が上記受け部により受けられ、他の部分が機器本体により受けられるようにすることにより、第２の蓋部材の受け面積を増加させることができ、より効果的に第２の蓋部材の開口部内への押し込みを抑制することができる。
【発明を実施するための最良の形態】
【００１１】
以下、本発明の実施例について図面を参照しながら説明する。
【実施例１】
【００１２】
図１は、本発明の実施例１である一眼レフレックスカメラ（電子機器）の概略構成図である。図１において、１は撮影レンズである。なお、図では便宜上２枚のレンズ１ａ、１ｂで撮影レンズを示しているが、実際はより多くのレンズが設けられている。
【００１３】
２は主ミラーで、撮影レンズ１からの撮影光路に対して進退が可能である。この主ミラー２はハーフミラーにより形成されている。主ミラー２が撮影光路内に斜設された状態では、撮影レンズ１からの光束の一部は主ミラー２で反射して、後述するファインダー光学系に導かれる。
【００１４】
ファインダー光学系は、ピント板６、ペンタプリズム７および接眼レンズ８を有する。主ミラー２で反射した光束は、まずピント板６上で結像する。そしてピント板６を透過した光束は、ペンタプリズム７および接眼レンズ８を介して撮影者の眼（図示せず）に導かれる。これにより、撮影レンズ１を通して被写体象を観察することができる。
【００１５】
また、主ミラー２を透過した光束は、主ミラー２の背面に取り付けられたサブミラー３によって反射され、後述する焦点検出ユニット１０に導かれる。
【００１６】
一方、主ミラー２およびサブミラー３が撮影光路外に待避すると、撮影レンズ１からの光束は、シャッタ４および撮像素子５の方向に直進する。
【００１７】
撮像素子５は、ＣＣＤやＣＭＯＳセンサ等により構成されており、開口したシャッタ４を透過した光束（被写体像）を光電変換する。撮像素子５からの出力信号は、不図示の画像処理回路で各種処理が施されて画像信号とされ、不図示の記録媒体（半導体メモリ、磁気ディスク、光ディスク等）に記録される。
【００１８】
焦点検出ユニット１０は、サブミラー３で反射された光束を取り込んで、位相差検出方式により撮影レンズ１の焦点状態（デフォーカス量）を示す焦点検出信号を生成する。そして、不図示のカメラコントローラ（ＣＰＵ等）は、焦点検出信号に基づいて合焦を得るために必要なフォーカスレンズの駆動量を演算し、該演算結果を撮影レンズ１内の不図示のレンズコントローラ（ＣＰＵ等）に送信する。レンズコントローラは受信した駆動量分、フォーカスレンズ（例えば、１ｂ）を駆動する。これにより、合焦が得られる。
【００１９】
図２〜図５には、本実施例のカメラにおける電池室周辺の外観構成を示している。また、図６には、電池室周辺の断面を示している。
【００２０】
本実施例のカメラでは、撮影者が手でつかむグリップ部内に電池室３０を設けており、電池蓋（第１の蓋部材）５０は、該グリップ部の底面に形成された電池挿入用の開口部（電池挿入口）を開閉する。
【００２１】
２０はグリップ部を一体的に有した、カメラ本体の前面を覆うフロントカバーである。フロントカバー２０におけるグリップ部の底面には、後述する電池挿入口の外周を覆うＵ字形状の開口部２０ａが形成されている。
【００２２】
フロントカバー２０によって前面が覆われたカメラ本体２５のグリップ部内には、電池室３０が設けられている。電池室３０内には、図３に示す非充電式の１次電池若しくは充電式の２次電池である電池８０、又は図４に示す外部電源（ＡＣ電源）と接続される電源ケーブル９１を有するＤＣカプラー９０のいずれかを収納可能である。また、電池室３０の底面には、フロントカバー２０に設けられた開口部２０ａに沿う形状の開口部（以下、開口部２０ａとともに電池挿入口という）３０ａが形成されている。
【００２３】
４０はゴム等の、少なくとも所要の剛性を持ったプラスチック製の電池蓋５０に比べて弾性変形し易い（剛性が低い）弾性材料からなるケーブル蓋（第２の蓋部材）である。図２および図６においては、ケーブル蓋４０は、カメラ本体２５およびフロントカバー２０におけるグリップ部の側面（撮影レンズ側の側面）に形成されて、その下端が電池挿入口３０ａ，２０ａに連通する開口部（以下、ケーブル延出口という）３１，２１を覆うように配置されている。
【００２４】
このケーブル蓋４０の上部には、図６に示すように、電池室３０の内方に向かうように突出する抜け止め部４１が一体的に形成されている。この抜け止め部４１は、フロントカバー２０におけるケーブル延出口２１の上面近くを通って、カメラ本体２５のうち電池室３０の壁面を構成する部分に形成された孔部２５ａ内に挿入されている。抜け止め部４１の先端はＬ字形状に上方に曲がっており、このＬ字部分の高さ（断面積）をフロントカバー２０におけるケーブル延出口２１の上面とカメラ本体２５の孔部２５ａの下面との間の隙間２６の高さ（断面積）より大きくすることで、図３に示すようにケーブル蓋４０を開いた時に、Ｌ字部分の表側の面４７がフロントカバー２０の裏面２０ｂと突き当たり、ケーブル蓋４０はカメラ本体から脱落しない。
【００２５】
また、ケーブル蓋４０を閉じた状態では、ケーブル蓋４０の裏面のうち、図３および図４に示す上端部４２および両側端部４３，４４（すなわち、ケーブル延出口２１における電池挿入口２０ａと連通する部分以外の部分に沿った外周部）が、フロントカバー２０におけるケーブル延出口２１の周りに設けられた受け面２２〜２４に当接する。
【００２６】
なお、受け面２２〜２４は、フロントカバー２０の外観面よりもケーブル蓋４０の厚み分奥まった位置に設けられている。これにより、閉じた状態のケーブル蓋４０がフロントカバー２０の外観面に対して段差を生じないようになっている。
【００２７】
ケーブル蓋４０の裏面における上記外周部４２〜４４の内側には突起形状の圧入部４６が設けられており、この圧入部４６の外周はケーブル延出口２１の内周よりも若干大きく形成されている。ケーブル蓋４０を閉じた状態で、圧入部４６がケーブル延出口２１の内面間に嵌め込まれることにより、ケーブル蓋４０にある程度の開き力が加わらない限り、ケーブル蓋４０は閉じた状態を維持する。これにより、ケーブル延出口２１，３１からの電池室３０内へのゴミ等の侵入を防ぐことができる。
【００２８】
電池蓋５０にはヒンジ部６０が設けられており、図３および図４に示すように、このヒンジ部６０がフロントカバー２０の底面に取り付けられたヒンジ軸５４に回動可能に取り付けられている。これにより、電池蓋５０は、電池挿入口２０ａ，３０ａを開閉するように回動する。電池蓋５０のヒンジ部６０側とは反対側である先端部の裏面には、図３および図４に示すようにロック爪５３が突出・待避可能に設けられている。このロック爪５３は、不図示のバネによって突出方向に付勢されている。電池蓋５０が閉じた状態でこのロック爪５３がフロントカバー２０に設けられた不図示の係合部に係合することにより、電池蓋５０が閉じ状態にロック保持される。
【００２９】
電池蓋５０の表面側には、図２に示すようにロック解除つまみ５２が設けられており、このロック解除つまみ５２をスライドさせることによってロック爪５３を待避移動させることができ、電池蓋５０を開くことが可能となる。
【００３０】
さらに、図２に示すように、電池蓋５０におけるヒンジ取付け部の近く（前側）には、電池挿入口２０ａ，３０ａとケーブル延出口２１，３１との連通部分を覆うための延出部５７が形成されている。
【００３１】
そして、この延出部５７の裏面（すなわち、電池蓋５０を閉じた状態で外観に露出しない部分）には、図６に示すように、突起部（受け部）５５が一体形成されている。突起部５５は、電池蓋５０が閉じた状態では上方に延び、その側面である受け面５１は、閉じた状態のケーブル蓋４０の裏面のうち下端部４５（すなわち、ケーブル延出口２１における電池挿入口２０ａと連通する部分に沿った外周部）の当接を受ける。
【００３２】
このように、弾性変形し易いケーブル蓋４０が、閉じた状態で、その裏面の上端部４２および両側端部４３，４４がフロントカバー２０の受け面２２〜２４に当接し、かつ下端部４５が電池蓋５０に形成された受け面５１と当接することにより、撮影者がグリップ部を握った場合に指でケーブル蓋４０を押すなどし、外力がケーブル蓋４０に作用した場合においても、ケーブル蓋４０がケーブル延出口２１，３１内に押し込まれる（落ち込む）のを防ぐことが可能となる。
【００３３】
図３は電池室３０に電池８０を収納した例を、図４にはＤＣカプラー９０を収納して使用する例を示している。電池８０およびＤＣカプラー９０は、カメラ本体２５内に設けられた不図示のＤＣＤＣコンバータを含む電源制御回路に電気的に接続されており、電源制御回路およびカメラコントローラは、電池８０およびＤＣカプラー９０の装着の有無、電池の種類、電池残量の検出を行い、検出結果に基づいてＤＣＤＣコンバータを制御して必要な電圧を必要な期間、カメラの各部に供給する。
【００３４】
ＤＣカプラー９０は、電源ケーブル９１を介して不図示のＡＣ／ＤＣコンバータに接続されており、ＡＣ／ＤＣコンバータはＡＣ電源に接続される。これにより、交流電圧が直流電圧に変換されてカメラの各部に必要な電圧が供給される。
【００３５】
図３に示すように、電池室３０に電池８０を収納する場合、まずロック解除つまみ５２をスライド操作してロック爪５３のロックを解除して電池蓋５０をヒンジ軸５４を中心に回転させて開ける。
【００３６】
そして、電池８０を電池室３０に挿入する。電池８０が電池室３０内に完全に入ると、電池の脱落を防止する脱落防止爪７０が不図示のバネの付勢力によって電池８０の底面に係合する。この状態で電池蓋５０をヒンジ軸５４を中心に回転させて閉じる。電池蓋５０が閉じると、ロック爪５３がフロントカバー２０の不図示の係合部に係合して、電池蓋５０がロックされ、電池８０の電池室３０への収納が完了する。
【００３７】
電池３０を電池室３０から取り出す場合は、電池蓋５０を開けた後、脱落防止爪７０を付勢力に抗して指で押して電池８０との係合を外すことにより、電池室３０の天井面に設けられた不図示のイジェクトバネの付勢力によって電池８０が電池室３０から押し出される。これにより、電池８０を取り出すことができる。
【００３８】
一方、図４に示すように、電池室３０にＤＣカプラー９０を収納する場合は、電池蓋５０を開けて、ＤＣカプラー９０を電池室３０に挿入する。ＤＣカプラー９０が電池室３０内に完全に入ると、脱落防止爪７０がＤＣカプラー９０の底面に引っ掛かる。また、このときケーブル蓋４０を開ける。そして、ＤＣカプラー９０の電源ケーブル９１をケーブル延出口２１，３１を通してカメラの外に出す。
【００３９】
この状態で、電池蓋５０を閉じると、電源ケーブル９１がケーブル延出口２１，３１から延出した状態のまま電池蓋５０がロックされ、電池室３０へのＤＣカプラー９０の収納が完了する。この状態を図５に示す。ケーブル蓋４０は弾性材料からなっているため、電源ケーブル９１をケーブル延出口２１，３１を通して延出させた状態では、ケーブル蓋４０は弾性変形して開いた状態に保たれる。ケーブル蓋４０がその弾性により柔軟に変形することで、これに接する電源ケーブル９１の皮膜等が傷つくおそれはない。
【００４０】
ＤＣカプラー９０を電池室３０から取り出す場合は、電池蓋５０を開けた後、脱落防止爪７０を付勢力に抗して指で押してＤＣカプラー９０との係合を外すことにより、上述したイジェクトバネの付勢力によってＤＣカプラー９０が電池室３０から押し出される。これにより、ＤＣカプラー９０を取り出すことができる。そして、ケーブル蓋４０を指で押してケーブル延出口２１，３１を閉じる。
【００４１】
なお、本実施例では、一眼レフカメラについて説明したが、本発明は、レンズ一体型カメラにも適用することができる。また、本実施例では、デジタルスチルカメラについて説明したが、フィルムカメラやビデオカメラにも適用することができる。
【実施例２】
【００４２】
図７には、本発明の実施例２であるモバイル端末機器（電子機器）の概略構成を示している。
【００４３】
１００はモバイル端末機器の本体である。このモバイル端末機器は、電池或いは外部電源により動作して、本体１００内に設けられたメモリ又は装着された記録媒体に格納されたデータの管理等を行う機能を有する。
【００４４】
１１０〜１１４は操作ボタンであり、これらを操作することにより、決定、変更、送り、戻りなどの動作を行う。
【００４５】
１２０は液晶ディスプレイであり、モバイル端末機器内に記録された各種情報を表示する表示素子である。
【００４６】
１３０は電池蓋（第１の蓋部材）である。この電池蓋１３０は、ローレット部１３２に指を掛けて図中の矢印方向にスライドさせることにより電池室１７０の電池挿入口（第１の開口部）１７０ａを開き、逆方向にスライドさせることにより電池挿入口１７０ａを閉じる。図７は閉じた状態を示している。
【００４７】
１４０は電池挿入口１７０ａに連通したアンテナ延出口（第２の開口部）１０１を覆うためのアンテナ蓋（第２の蓋部材）である。このアンテナ蓋１４０は、ゴム等の、少なくとも電池蓋１３０よりも弾性変形し易い（剛性が低い）弾性材料からなる。アンテナ蓋１４０には抜け止め部１４１が設けられており、本体１００に対して抜けないように差し込まれている。これにより、アンテナ蓋１４０は弾性変形によって図中の矢印方向に開閉する。
【００４８】
また、アンテナ蓋１４０の裏面には、突起形状の圧入部１４２が形成されており、この圧入部１４２がアンテナ延出口１０１の内周に圧入されることにより、ある程度の開き力が加わらない限りアンテナ蓋１４０が閉じた状態に維持される。
【００４９】
さらに、電池蓋１３０の先端裏面には突起部（受け部）１３１が一体形成されており、電池蓋１３０が閉じた状態で、閉じた状態のアンテナ蓋１４０の裏面のうちアンテナ延出口１０１と電池挿入口１７０ａとの連通部分に沿った外周部が、突起部１３１の受け面１３１ａに当接することにより、アンテナ蓋１４０がアンテナ延出口１０１内に押し込まれるのを防止している。なお、アンテナ蓋１４０の裏面のうちアンテナ延出口１０１と電池挿入口１７０ａとの連通部分以外の部分に沿った外周部を、本体１００におけるアンテナ延出口１０１の周りに設けられた受け面に当接させるようにすれば、アンテナ蓋１４０がアンテナ延出口１０１内に押し込まれるのをより効果的に防止することができる。
【００５０】
このように構成されたモバイル端末機器の電池室１７０に、図８に示すように電池（充電式又は非充電式）１６０を装着する場合には、電池蓋１３０を開けて電池室１７０内に電池挿入口１７０ａを通じて図中の矢印方向に電池１６０を挿入する。そして、電池蓋１３０を閉める。
【００５１】
一方、モバイル端末機器に、図８および図９に示すように、アンテナ１５１を備えた送受信ユニット１５０を装着することもできる。この場合、電池蓋１３０を開けて電池室１７０内に電池挿入口１７０ａを通じて図中の矢印方向に送受信ユニット１５０を挿入する。この際、アンテナ蓋１４０を開けて、送受信ユニット１５０から延びるアンテナ１５０を、アンテナ延出口１０１を通じて本体１００の外部に延出させる。これにより、電池蓋１３０を閉じても、アンテナ１５０を本体１００の外部に延出させることができる。
【００５２】
図示はしないが、電池室１７０内には、送受信ユニット１５０に設けられた接点と電気的に接続される接点が設けられている。このため、送受信ユニット１５０を電池室１７０内に挿入することにより、モバイル端末機器は、該送受信ユニット１５０を通じてインターネット、ＬＡＮ等の通信回線を介してコンピュータ等の外部機器に対して無線で通信を行うことができる。
【００５３】
アンテナ１５０をアンテナ延出口１０１から延出させた状態では、図９に示すように、アンテナ蓋１４０はアンテナ１５０に押されて弾性変形し、開いた状態を維持する。アンテナ蓋１４０がその弾性により柔軟に変形することで、これに接するアンテナ１５０が傷つくおそれはない。
【００５４】
なお、本実施例では、モバイル端末機器の電池室に送受信ユニットを装着する場合について説明したが、モバイル端末機器における着脱式外部メモリの収容室に送受信ユニットを装着し、送受信ユニットのアンテナを第２の開口部であるアンテナ延出口から延出させるようにしてもよい。
また、本発明は上記実施例に限らず、例えば、パーソナルコンピュータにおいて、ＵＳＢコネクタ等を接続するための第１の開口部を開閉する第１の蓋部材と、該コネクタから延びるケーブルを外部に延出させるための第２の開口部を開閉する第２の蓋部材とを有するような場合にも適用することができる。
【００５５】
また、上記各実施例から以下の特徴も導くことができる。
【００５６】
１．開閉可能に固定された第１の蓋部材と、弾性を有する材料により形成され、第１の蓋部材の近傍において、周囲を固定されて閉じた第１の状態と一端を固定されて開いた第２の状態とをとり得る第２の蓋部材とを有し、第１の状態にある第２の蓋部材の開閉方向における受け面となる突起を第１の蓋部材に設けた。
【００５７】
２．第２の蓋部材の周囲には、第２の蓋部材に対応する位置に、第１の蓋部材側に開いた外装開口部を備えた外装部材を有する。
【００５８】
３．第２の蓋部材は、外装開口部よりも大きく、第１の状態において、外装開口部の外側で外装部材と当接している。
【００５９】
４．外装部材の内側には、独立した電源を有する一次電池もしくは二次電池、及び外部電源と接続するケーブルを有するカプラーのいずれかを収納可能な内装部材を有している。
【００６０】
５．内装部材は、外装開口部と対応する位置に第１の蓋部材側に開いた内装開口部を備えている。
【００６１】
６．外装開口部および内装開口部は、カプラーのケーブルを内装部材から外部に出すための開口窓である。
【００６２】
７．第２の蓋部材は、第１および第２の状態において、外装部材と内装部材とで形成された隙間に挟まれることにより、一端を固定されている。
【００６３】
８．第２の蓋部材は、第１の状態において、外装開口部と圧接することにより、周囲を固定されている。
【００６４】
９．第２の蓋部材は、上記隙間よりも断面積の大きい抜け止め部を有する。
【００６５】
１０．第１の蓋部材および第２の蓋部材は、外観の一部を構成する。
【００６６】
１１．上記突起は、第１の蓋部材の非外観面に設けられている。
【００６７】
１２．上記突起は、第１の蓋部材に一体的に形成されている。
【００６８】
ここで、上記１〜３および８によれば、外装部材と第２の蓋部材との隙間をなくして、外装開口部から機器内部へのゴミの侵入を防ぐとともに、第２の蓋部材を大型化することなく、第２の蓋部材を閉じた状態で使用者が不用意に触るなど外力により第２の蓋部材が押し込まれるのを防止することが可能となる。また、第２の蓋部材を全周で受ける構成となっているため、係り量を増やして第２の蓋部材を大型化する必要がない。
【００６９】
また、４〜６によれば、独立した電源を有する一次電池もしくは二次電池、及び外部電源と接続するケーブルを有するカプラーのいずれかを収納して使用可能であり、さらに、開口窓よりケーブルを外部に出すことにより、ケーブルを有するカプラーを収納した状態で第１の蓋部材を閉じることが可能となる。
【００７０】
また、第２の蓋部材は弾性を有する材料からなるため、ケーブルが第１の蓋部材と第２の蓋部材で挟まれてケーブル表面の皮膜が傷つくのを防止することが可能となる。
【００７１】
また、７および９によれば、第２の蓋部材の一端が固定されていることにより、第２の蓋部材が開閉自在に第１の状態及び第２の状態をとることが可能となる。また、第２の蓋部材を開いた第１の状態において、使用者が第２の蓋部材をさらに引っ張ろうとしても、抜け止め部が外装部材の非外観面で引っ掛かることにより、第２の蓋部材が外装部材から脱落すること防止できる。
【００７２】
また、１０および１１によれば、第２の蓋部材を外観に使用した場合においても、第２の蓋部材を閉じた第１の状態で第２の蓋部材と外装部材との外観面の段差を少なくし、滑らかな外観面を形成することができる。また、第２の蓋部材を大型化する必要がないため、見栄えも損なうことなく、外観面に第２の蓋部材を設けることができる。さらに、突起形状を第１の蓋部材の非外観面に設けることにより、第１の蓋部材を閉じた状態では、外観面に余分な形状を露出させることなく、使用者が不用意に触るなど外力により第２の蓋部材が落ち込むのを防ぐことが可能となる。
【００７３】
また、１２によれば、突起形状を第１の蓋部材と一体的に成形することにより、第１の蓋部材を閉じた状態では、部品を新たに追加することなく、既存の部品を用いて、使用者が不用意に触るなど、外力により第２の蓋部材が落ち込むのを防ぐことが可能となる。
【図面の簡単な説明】
【００７４】
【図１】本発明の実施例１であるカメラの概略構成図。
【図２】実施例１のカメラの外観斜視図。
【図３】実施例１のカメラにおいて電池を装着する様子を示す斜視図。
【図４】実施例１のカメラにおいてＤＣカプラーを装着する様子を示す斜視図。
【図５】実施例１のカメラにおいてＤＣカプラーを装着し、電池蓋を閉じた状態を示す斜視図。
【図６】実施例１のカメラにおける電池蓋およびケーブル蓋の周辺を示す断面図。
【図７】本発明の実施例２であるモバイル端末機器の概略構成を示す正面図。
【図８】実施例２のモバイル端末機器において電池および送受信ユニットを装着する様子を示す正面図。
【図９】実施例２のモバイル端末機器において送受信ユニットを装着し、電池蓋を閉じた状態を示す正面図。
【符号の説明】
【００７５】
２０  フロントカバー
２５  カメラ本体
３０  電池室
４０  ケーブル蓋
５０  電池蓋
７０  脱落防止爪
８０  電池
９０  ＤＣカプラー
１００  モバイル端末機器
１１０〜１１４  操作部材
１２０  液晶ディスプレイパネル
１３０  電池蓋
１４０  アンテナ蓋
１５０  送受信ユニット
１６０  電池
１７０  電池室
【図１】
2005064365.tif 000003
【図２】
2005064365.tif 000004
【図３】
2005064365.tif 000005
【図４】
2005064365.tif 000006
【図５】
2005064365.tif 000007
【図６】
2005064365.tif 000008
【図７】
2005064365.tif 000009
【図８】
2005064365.tif 000010
【図９】
2005064365.tif 000011